(57)【要約】      （修正有）【課題】棒形磁気按摩器の提供。【解決手段】棒形外筒１０を具え、該棒形外筒の両端開口に収束口１１，１２が形成され、該棒形外筒内に充填物３２が設置され、該充填物の両端に磁石３０，３１が設けられ、そのうち一つの磁石の外側に押しブロック３３，５０が設けられ、該押しブロックに半球体の按摩半球２０が形成され、並びに該按摩半球の一部の球面が収束口の外側に突出し、もう一側の磁石と棒形外筒の収束口の間に別の押しブロックが設けられ、この別の押しブロックの外側に収束口の外側に突出する複数の按摩柱５２が設けられている。以上の構造により、按摩半球を人体皮膚の表面で滑らすことで、骨格を押圧することによる痛みを防止し、良好な按摩効果を達成し、血液循環を促進する。【選択図】図１
0003105545.tif 000002
【実用新案登録請求の範囲】
【請求項１】
棒形外筒を具えた棒形磁気按摩器において、
該棒形外筒の両端開口に収束口が形成され、該棒形外筒内に充填物が設置され、該充填物の両端に磁石が設けられ、そのうち一つの磁石の外側に押しブロックが設けられ、該押しブロックに半球体の按摩半球が形成され、並びに該按摩半球の一部の球面が収束口の外側に突出し、もう一側の磁石と棒形外筒の収束口の間に別の押しブロックが設けられ、この別の押しブロックの外側に収束口の外側に突出する３本の按摩柱が設けられたことを特徴とする、棒形磁気按摩器。
【請求項２】
請求項１記載の棒形磁気按摩器において、按摩半球が弾丸形の錐状柱とされて収束口の外部に突出することを特徴とする、棒形磁気按摩器。
【請求項３】
請求項１記載の棒形磁気按摩器において、按摩半球が表面が波状を呈する波形柱とされ、該波形柱が収束口の外部に突出することを特徴とする、棒形磁気按摩器。
【考案の詳細な説明】
【技術分野】
【０００１】
本考案は一種の棒形磁気按摩器に係り、特に身体のツボと神経を刺激し、並びに人体皮膚及び骨格の起伏に適合でき、良好な按摩効果を達成し、血液循環を促進する棒形磁気按摩器に関する。
【背景技術】
【０００２】
人体内の生体の磁気作用の研究は日本国内外で盛んである。日本では、磁気治療器は薬事法の適用を受け、厚生大臣の許可を得た商品が市場に多く出回っており、特に昭和４９年以降、一般に普及している。磁気治療器がなんらかの症状に対して有効であると認める人は、日本では数百万人に及ぶ。
【０００３】
生活水準が不断に向上し、台湾もすでに高齢化社会の標準に突入している。年齢が上がるにつれ、人体の機能は衰退し、慢性病や筋肉や骨の痛みが発生する。このため高齢者の最大の関心事は健康であり、現在の高齢化社会にあって、老化に伴う病気や体質的な病気、慢性病はますます増加し、このような疾病を治癒するために按摩器はツボを按摩して身体がもともと持っているいわゆる自然治癒力を回復させるものとして重要である。
【０００４】
また、周知の非電動式の按摩器の多くは木材或いは金属材料で製造された筒状体とされ、二つの突出した端部で人体のツボを押して神経を刺激し、筋肉をほぐす等の目的を達成する。その構造は簡単で、携帯に便利であり、且つ患者が自分で操作できるため便利で一定の実用性を有しているが、磁気の人体に対する作用効果を鑑み、多くの按摩器に磁石が取付られ、按摩器を使用する時に、磁石による作用も受けられるようにして治療効果をアップできるようにしている。
【０００５】
図７は周知の磁気按摩器の構造であり、それは円柱形ケース６０を具え、このケース６０の両端にそれぞれ錐状体６１が凸設されている。また、該ケース６０の内部中間に充填物７０が挿入され、該充填物７０の両端と端部の錐状体の間に複数の磁石８０が充填され、使用時には手で円柱形ケース６０を握り、両端の突出する錐状体６１でツボを押し、按摩の効果を達成する。
【０００６】
このような周知の構造は完全ではなく、使用上、以下のような欠点がある。
１．按摩時の按摩器の錐状体は人体皮膚と直接接触させる必要があり、それにより良好な効果を有するが、錐状体と人体皮膚との間に摩擦力が存在し、長時間或いは強い力で押すと、表皮の損傷や疼痛を発生しやすく、人に按摩に対する恐れを生じさせる。
２．ツボの多くは骨格に近い位置にあり、このため硬く突出する錐状体で骨格近くのツボを押す時、位置ずれ或いは力の入れ方が間違っているために骨格を押してしまい、大きな痛みを生じさせることがある。
３．周知の円柱形のケースの両端には錐状体が設けられ、ゆえに按摩器の実質的な作用点は錐状体の尖端であり、ツボの位置をよくわかっていない一般の人は正確にツボ位置を押すことができず、且つ応用にして位置がずれて間違った位置を押すため、医療効果が大幅に下がり、且つ施術者が力一杯単一点を押すと患者に痛みを発生させる。
４．経絡療法中、同一の経絡上に多くの関係するツボが隣接していることが多いが、周知の単点式の構造は同時に複数のツボを押すことはできない。
【考案の開示】
【考案が解決しようとする課題】
【０００７】
本考案の主要な目的は、一種の棒形磁気按摩器を提供することにあり、それは、身体のツボ及び神経を刺激でき、並びに人体皮膚及び骨格の起伏に適合し、良好な按摩効果を達成できるものとする。
【０００８】
本考案の棒形磁気按摩器は、棒形外筒を具え、該棒形外筒の両端開口に収束口が形成され、該棒形外筒内に充填物が設置され、該充填物の両端に磁石が設けられ、そのうち一つの磁石の外側に押しブロックが設けられ、該押しブロックに半球体の按摩半球が形成され、並びに該按摩半球の一部の球面が収束口の外側に突出し、もう一側の磁石と棒形外筒の収束口の間に別の押しブロックが設けられ、この別の押しブロックの外側に複数の、収束口の外側に突出する按摩柱が設けられている。
【０００９】
以上の構造により、本考案の棒形磁気按摩器は、按摩半球が人体皮膚及び骨格の起伏が人体被覆の起伏に対応することにより、骨格を押圧することによる疼痛を防止し、良好な按摩効果を達成することができるものとする。
【課題を解決するための手段】
【００１０】
請求項１の考案は、棒形外筒を具えた棒形磁気按摩器において、
該棒形外筒の両端開口に収束口が形成され、該棒形外筒内に充填物が設置され、該充填物の両端に磁石が設けられ、そのうち一つの磁石の外側に押しブロックが設けられ、該押しブロックに半球体の按摩半球が形成され、並びに該按摩半球の一部の球面が収束口の外側に突出し、もう一側の磁石と棒形外筒の収束口の間に別の押しブロックが設けられ、この別の押しブロックの外側に収束口の外側に突出する３本の按摩柱が設けられたことを特徴とする、棒形磁気按摩器としている。
請求項２の考案は、請求項１記載の棒形磁気按摩器において、按摩半球が弾丸形の錐状柱とされて収束口の外部に突出することを特徴とする、棒形磁気按摩器としている。
請求項３の考案は、請求項１記載の棒形磁気按摩器において、按摩半球が表面が波状を呈する波形柱とされ、該波形柱が収束口の外部に突出することを特徴とする、棒形磁気按摩器としている。
【考案の効果】
【００１１】
本考案の設計は、実施上、周知のこのような磁気按摩器の有する長所を保有するほか、一端に力を均一に入れられる按摩半球が設けられ、別端に３本の並列する按摩柱が設けられ、使用者が適合する按摩方式を選択でき、按摩時に、同一経絡上にある複数のツボを同時に押圧でき、ツボ位置を間違えにくく、適切な按摩を行なうことができる。
【００１２】
総合すると、本考案の棒形磁気按摩器は、身体のツボと神経を刺激して良好な按摩効果を達成でき、且つこの構造は人体皮膚及び骨格に適合する機能を有しており、実用性と進歩性を有する。
【考案を実施するための最良の形態】
【００１３】
図１、２、３に示されるように、本考案の棒形磁気按摩器は、棒形外筒１０を具え、該棒形外筒１０の両端開口に収束口１１、１２が形成され、該棒形外筒１０内に充填物３２が設置され、該充填物３２の両端に磁石３０、３１が設けられ、そのうち一つの磁石３０の外側に押しブロック３３が設けられ、該押しブロック３３に半球体の按摩半球２０が形成され、並びに該按摩半球２０の一部の球面が収束口１１の外側に突出し、もう一側の磁石３１と棒形外筒１０の収束口１２の間に押しブロック５０が設置され、該押しブロック５０の上面に、３本の、収束口１２の外側に突出する按摩柱５２が設けられている。
【００１４】
図４に示されるように、本考案の棒形磁気按摩器を使用する時、手で棒形外筒１０を持ち、一端の収束口１１より突出する按摩半球２０で人体のツボを押し、按摩半球２０を皮膚９０の表面で滑らせ、人体と皮膚の摩擦を減らし、按摩半球２０で人体のツボを押す時に、疼痛や皮膚の傷害を発生せず、並びに適当で均一な力を達成し、快適である。また、棒形外筒１０の別端の突出する按摩柱５２で直接人体のツボを押すことができ、力の入れ具合は個人の好みに応じて調整でき、多重の按摩の効果を達成でき、且つ時間を節約し、また、側辺の按摩柱５２で単一のツボに対する按摩も行なえ、市場上、十分に便利である。
【００１５】
このほか、本考案の施圧に使用される按摩半球２０と按摩柱５２はいずれも金属であり、且つ後方に強力磁石３０、３１が設けられ、これにより良好な磁力按摩を提供でき、上述の各種の特色が組み合わされ、使用上便利で、実施効果が極めて良好な按摩器とされていることが本考案の特徴である。
【００１６】
また、図５に示される実施例では、按摩半球は弾丸形の錐状柱２１とされ、且つ該錐状柱２１は収束口１１より突出するほか、錐状柱２１の末端に錐尖端２３が形成され、該錐尖端２３を利用して神経及びツボ位置を刺激でき、且つツボのある位置を深く押すことができ、且つ該錐状柱２１の側縁に大面積の円弧面が形成され、該円弧面が大面積のスクラッチに使用される。
【００１７】
更に図６の実施例では、按摩半球が表面が波状の波形柱２２とされ、該波形柱２２は収束口１１より突出し、この波形柱２２は骨格の起伏に適合でき、これにより骨格を押すことによる疼痛を防止できる。
【図面の簡単な説明】
【００１８】
【図１】本考案の立体分解図である。
【図２】本考案の立体組合せ図である。
【図３】本考案の断面図である。
【図４】本考案の使用実施例図である。
【図５】本考案の別の実施例図である。
【図６】本考案のまた別の実施例図である。
【図７】周知の棒形磁気按摩器の構造図である。
【符号の説明】
【００１９】
１０  外筒                      １１、１２  収束口
２０  按摩半球                  ２１  錐状柱
２２  波形柱                    ２３  錐尖端
３０、３１  磁石                ３２、７０  充填物
３３、５０  押しブロック        ５２  按摩柱
６０  ケース                    ６１  錐状体
８０  磁石                      ９０  皮膚
【図１】
0003105545.tif 000003
【図２】
0003105545.tif 000004
【図３】
0003105545.tif 000005
【図４】
0003105545.tif 000006
【図５】
0003105545.tif 000007
【図６】
0003105545.tif 000008
【図７】
0003105545.tif 000009